(57)【要約】【解決手段】シリンダヘッド１にヘッドカバー１５を着脱自在に取り付け、このヘッドカバー１５の外壁１６にグロープラグ挿通孔９を開口し、このグロープラグ挿通孔９にグロープラグ３を挿通し、このグロープラグ３をシリンダヘッド１にネジ嵌合で固定し、グロープラグ挿通孔９とグロープラグ３との間を環状シール２２で封止した、グロープラグ付きエンジンにおいて、環状シール２２をグロープラグ３に外嵌固定するとともに、この環状シール２２をグロープラグ挿通孔９に抜き取り自在に内嵌し、グロープラグ３のうち、ヘッドカバー１５の外に突出する部分に工具係合部２４を設けた。【効果】グロープラグ３の抜き取り作業が簡単になる。【選択図】　　　図１
2004108308.tif 000002
【特許請求の範囲】
【請求項１】
シリンダヘッド（１）にヘッドカバー（１５）を着脱自在に取り付け、このヘッドカバー（１５）の外壁（１６）にグロープラグ挿通孔（９）を開口し、このグロープラグ挿通孔（９）にグロープラグ（３）を挿通し、このグロープラグ（３）をシリンダヘッド（１）にネジ嵌合で固定し、グロープラグ挿通孔（９）とグロープラグ（３）との間を環状シール（２２）で封止した、グロープラグ付きエンジンにおいて、
環状シール（２２）をグロープラグ（３）に外嵌固定するとともに、この環状シール（２２）をグロープラグ挿通孔（９）に抜き取り自在に内嵌し、グロープラグ（３）のうち、ヘッドカバー（１５）の外に突出する部分に工具係合部（２４）を設けた、ことを特徴とするグロープラグ付きエンジン。
【請求項２】
請求項１に記載したグロープラグ付きエンジンにおいて、
シリンダヘッド（１）に複数のグロープラグ（３）を取り付け、シリンダヘッド（１）の上部にヘッドカバー（１５）を配置するに当たり、
各グロープラグ（３）をシリンダ中心軸線（７）に対して所定角度（Θ１）だけ同じ方向に傾け、ヘッドカバー（１５）の天井の外壁（１６）にグロープラグ（３）と平行な向きのグロープラグ挿通孔（９）を開口し、このグロープラグ挿通孔（９）の内径を工具係合部（２４）の外径よりも大きくした、ことを特徴とするグロープラグ付きエンジン。
【請求項３】
請求項２に記載したグロープラグ付きエンジンにおいて、
グロープラグ挿通孔（９）の下端開口にヘッドカバー（１５）内に向けて拡開するテーパ状のシール嵌入案内面（２８）を形成した、ことを特徴とするグロープラグ付きエンジン。
【請求項４】
請求項１から請求項３のいずれかに記載したグロープラグ付きエンジンにおいて、
シリンダヘッド（１）に燃料噴射ノズル（２）とグロープラグ（３）とを取り付けるに当たり、
シリンダ中央部（４）に燃料噴射ノズル（２）の先端を臨ませ、燃料噴射ノズル（２）と吸気ポート（５）との間の吸気ポート壁部分（６）にグロープラグ（３）を貫通させ、このグロープラグ（３）を燃料噴射ノズル（２）に対して所定角度（Θ１）だけ傾けてその先端部をシリンダ中央部（４）に差込んだ、ことを特徴とするグロープラグ付きエンジン。
【請求項５】
請求項２から請求項４のいずれかに記載したグロープラグ付きエンジンにおいて、
吸気ポート（５）としてスワール吸気ポートを用いるに当たり、
吸気弁口（１０ａ）（１０ｂ）寄りの前記吸気ポート壁部分（６）の内壁面（８）を、シリンダ（２１）に近づくにつれてシリンダ中心軸線（７）に近づくように傾斜させて、この内壁面（８）をグロープラグ（３）の傾きに沿わせ、この内周壁（８）の対向壁面（８ａ）をシリンダ中心軸線（７）と平行な向きに沿って立ち上げ、これら壁面（８）（８ａ）の間に吸気弁口（１０ａ）（１０ｂ）に向けて幅広となる楔型ポート部分（５ａ）を形成した、ことを特徴とするグロープラグ付きエンジン。
【請求項６】
請求項４または請求項５に記載したグロープラグ付きエンジンにおいて、
前記吸気ポート壁部分（６）から膨出させたノズルボス（６ａ）に燃料噴射ノズル（２）を挿通させた、ことを特徴とするグロープラグ付きエンジン。
【請求項７】
請求項４から請求項６のいずれかに記載したグロープラグ付きエンジンにおいて、
吸気ポート（５）と排気ポート（１１）との間にポート間横断水路（１２）を形成し、このポート間横断水路（１２）にグロープラグ（３）を貫通させた吸気ポート壁部分（６）を臨ませた、ことを特徴とするグロープラグ付きエンジン。
【請求項８】
請求項７に記載したグロープラグ付きエンジンにおいて、
ポート間横断水路（１２）を通過する冷却水が吸気分配手段（１３）側から排気合流手段（１４）側に向かうようにした、ことを特徴とするグロープラグ付きエンジン。
【請求項９】
請求項１から請求項８のいずれかに記載したグロープラグ付きエンジンにおいて、
シリンダ中心軸線（７）と平行な向きに見て、ヘッドカバー（１５）の天井に設けるブリーザ室（２０）をクランク軸中心軸線（１７）の片側に向けて偏倚させ、各吸気ポート（５）毎に二個の吸気弁口（１０ａ）（１０ｂ）を設け、この吸気弁口（１０ａ）（１０ｂ）間の吸気ポート壁部分（６）にグロープラグ（３）を貫通させるに当たり、
シリンダ中心軸線（７）と平行な向きに見て、二個の吸気弁口（１０ａ）（１０ｂ）の各中心点を連結する仮想連結線（１８）を、クランク軸中心軸線（１７）と直交する姿勢から、シリンダ中心軸線（７）を中心として所定角度（Θ２）だけ回転させることにより、グロープラグ（３）をブリーザ室（２０）の偏倚方向とは逆方向にずらした、ことを特徴とするグロープラグ付きエンジン。
【発明の詳細な説明】
【０００１】
【発明の属する技術分野】
本発明は、グロープラグ付きエンジンに関する。
【０００２】
【従来の技術】
従来、グロープラグ付きエンジンとして、ヘッドカバーのグロープラグ挿通孔にグロープラグを挿通し、このグロープラグをシリンダヘッドにネジ嵌合で固定し、グロープラグ挿通孔とグロープラグとの間を環状シールで封止したものがある。
しかし、この種のエンジンでは、環状シールをグロープラグ挿通孔にねじ嵌合で内嵌するとともに、この環状シールにグロープラグを抜き取り自在に内嵌し、グロープラグのうち、ヘッドカバー内の部分に工具係合部を設けている。
【０００３】
【発明が解決しようとする課題】
上記従来技術には、次の問題がある。
《問題》　グロープラグの抜き取り作業が煩雑になる。
メンテナンス時にシリンダヘッドからグロープラグを抜き取るには、レンチ等の工具を工具係合部に係合させる必要がある。しかし、上記従来技術では、シリンダヘッドからヘッドカバーを外し、工具係合部を露出させるか、或いは、シリンダヘッドにヘッドカバーを取り付けたまま、グロープラグ挿通孔から環状シールを取り外し、グロープラグ挿通孔からレンチ等の工具をヘッドカバー内に差込む必要があり、グロープラグの抜き取り作業が煩雑になる。
【０００４】
本発明の課題は、上記問題点を解決できるグロープラグ付きエンジンを提供することにある。
【０００５】
【課題を解決するための手段】
主要な請求項１に係る発明の発明特定事項は、次の通りである。
図１に示すように、シリンダヘッド（１）にヘッドカバー（１５）を着脱自在に取り付け、このヘッドカバー（１５）の外壁（１６）にグロープラグ挿通孔（９）を開口し、このグロープラグ挿通孔（９）にグロープラグ（３）を挿通し、このグロープラグ（３）をシリンダヘッド（１）にネジ嵌合で固定し、グロープラグ挿通孔（９）とグロープラグ（３）との間を環状シール（２２）で封止した、グロープラグ付きエンジンにおいて、
環状シール（２２）をグロープラグ（３）に外嵌固定するとともに、この環状シール（２２）をグロープラグ挿通孔（９）に抜き取り自在に内嵌し、グロープラグ（３）のうち、ヘッドカバー（１５）の外に突出する部分に工具係合部（２４）を設けた、ことを特徴とするグロープラグ付きエンジン。
【０００６】
【発明の効果】
（請求項１の発明）
請求項１の発明は、次の効果を奏する。
《効果１》　グロープラグの抜き取り作業が簡単になる。
図１に示すように、メンテナンス時にシリンダヘッド（１）からグロープラグ（３）を抜き取る場合、シリンダヘッド（１）からヘッドカバー（１５）を取り外すことなく、レンチ等の工具をヘッドカバー（１５）の外に突出している工具係合部（２４）に係合させることができる。また、ヘッドカバー（１５）のグロープラグ挿通孔（９）からグロープラグ（３）を抜けば、環状シール（２２）がグロープラグ（３）とともにグロープラグ挿通孔（９）から抜き取られる。これらの理由により、グロープラグ（３）の抜き取り作業が簡単になる。
【０００７】
（請求項２の発明）
請求項２の発明は、請求項１の発明の効果に加え、次の効果を奏する。
《効果２》　ヘッドカバーの取付作業が容易に行える。
図２に示すように、シリンダヘッド（１）に複数のグロープラグ（３）を取り付け、シリンダヘッド（１）の上部にヘッドカバー（１５）を配置するに当たり、各グロープラグ（３）をシリンダ中心軸線（７）に対して所定角度（Θ１）だけ同じ方向に傾け、ヘッドカバー（１５）の天井の外壁（１６）にグロープラグ（３）と平行な向きのグロープラグ挿通孔（９）を開口し、このグロープラグ挿通孔（９）の内径を工具係合部（２４）の外径よりも大きくした。このため、シリンダヘッド（１）に複数のグロープラグ（３）を取り付けた後、ヘッドカバー（１５）を被せ、各グロープラグ挿通孔（９）にグロープラグ（３）を差込み、環状シール（２２）上にグロープラグ挿通孔（９）の下端開口の周肉部を載せ、ヘッドカバー（１５）の天井の外壁（１６）の中央部を木槌等で下向きに叩くと、各グロープラグ挿通孔（９）が各環状シール（２２）に同時に嵌合され、ヘッドカバー（１５）の取付作業が容易に行える。
【０００８】
（請求項３の発明）
請求項３の発明は、請求項２の発明の効果に加え、次の効果を奏する。
《効果３》　ヘッドカバーの取付作業がスムーズに行える。
図２に示すように、グロープラグ挿通孔（９）の下端開口にヘッドカバー（１５）内に向けて拡開するテーパ状のシール嵌入案内面（２８）を形成したため、ヘッドカバー（１５）の取り付けに当たり、各グロープラグ挿通孔（９）がテーパ状のシール嵌入案内面（２８）の案内で各環状シール（２２）に嵌合されるため、ヘッドカバー（１５）の取付作業がスムーズに行える。
【０００９】
（請求項４の発明）
請求項４の発明は、請求項１から請求項３のいずれかの発明の効果に加え、次の効果を奏する。
《効果４》　グロープラグの過熱を抑制することができる。
図１に示すように、燃料噴射ノズル（２）と吸気ポート（５）との間の吸気ポート壁部分（６）にグロープラグ（３）を貫通させたため、排気ポート（１１）を通過する排気の熱がグロープラグ（３）に伝わりにくい。このため、グロープラグ（３）の過熱を抑制することができる。
【００１０】
《効果５》　燃焼室全体を均等に熱することができる。
図１に示すように、グロープラグ（３）の先端部をシリンダ中央部（４）に差込んだため、燃焼室全体を均等に加熱することができる。
【００１１】
《効果６》　グロープラグの差込みが容易に行える。
図１に示すように、グロープラグ（３）を燃料噴射ノズル（２）に対して傾けるため、グロープラグ（３）を燃料噴射ノズル（２）と干渉させることなく、その先端部をシリンダ中央部（４）に差込むことができる。このため、グロープラグ（３）の差込みが容易に行える。
【００１２】
（請求項５の発明）
請求項５の発明は、請求項２から請求項４のいずれかの発明の効果に加え、次の効果を奏する。
《効果７》　燃焼室でのスワールが強化される。
図１に示すように、吸気ポート（５）を通過する吸気は、楔型ポート部分（５ａ）で対向壁（８ａ）に押しつけられながら、吸気弁口（１０ａ）（１０ｂ）に強く押し込まれる。このため、シリンダ（２１）の内周面寄りに高速の吸気が流入し、シリンダ（２１）内でのスワールが強化される。
【００１３】
（請求項６の発明）
請求項６の発明は、請求項４または請求項５の発明の効果に加え、次の効果を奏する。
《効果８》　燃料噴射ノズルの過熱を抑制することができる。
図３に示すように、吸気ポート壁部分（６）から膨出させたノズルボス（６ａ）に燃料噴射ノズル（２）を挿通させたため、排気ポート（１１）を通過する排気の熱が燃料噴射ノズル（２）に伝わりにくい。このため、燃料噴射ノズル（２）の過熱を抑制することができる。
【００１４】
（請求項７の発明）
請求項７の発明は、請求項４から請求項６のいずれかの発明の効果に加え、次の効果を奏する。
《効果９》　グロープラグの過熱が抑制される。
図３に示すように、ポート間横断水路（１２）にグロープラグ（３）を貫通させた吸気ポート壁部分（６）を臨ませたため、グロープラグ（３）の過熱が抑制される。
【００１５】
（請求項８の発明）
請求項５の発明は、請求項４の発明の効果に加え、次の効果を奏する。
《効果１０》　吸気の充填効率が高い。
図３に示すように、ポート間横断水路（１２）を通過する冷却水が吸気分配手段（１３）側から排気合流手段（１４）側に向かうようにしたため、排気熱が吸気分配手段側に伝わりにくく、吸気の温度上昇を抑制することができる。このため、吸気の充填効率が高い。
【００１６】
（請求項９の発明）
請求項９の発明は、請求項１から請求項８のいずれかの発明の効果に加え、次の効果を奏する。
《効果１１》　ブリーザ室の容積を大きく確保することができる。
図５に示すように、シリンダ中心軸線（７）と平行な向きに見て、グロープラグ（３）を貫通させる吸気ポート壁部分（６）を、クランク軸中心軸線（１７）からブリーザ室（２０）の偏倚方向とは逆方向にずらしたため、図４（Ａ）に示すように、ヘッドカバー（１５）を貫通するグロープラグ（３）に妨げられることなく、ブリーザ室（２０）をその偏倚方向とは逆方向に拡張することができ、ブリーザ室（２０）の容積を大きく確保することができる。
【００１７】
【発明の実施の形態】
本発明の実施の形態を図面に基づいて説明する。図１から図６は本発明の実施形態を説明する図で、この実施形態では、縦型の頭上弁式多気筒ディーゼルエンジンについて説明する。
このエンジンの構成は、次の通りである。
図１に示すように、シリンダブロック（４９）の上部にシリンダヘッド（１）を組み付け、その上部にヘッドカバー（１５）を組み付けている。シリンダヘッド（１）に、燃料噴射ノズル（２）とグロープラグ（３）とを取り付けている。
【００１８】
ヘッドカバー（１５）とグロープラグ（３）の取付構造は、次の通りである。
図１に示すように、シリンダヘッド（１）にヘッドカバー（１５）を着脱自在に取り付け、このヘッドカバー（１５）の外壁（１６）にグロープラグ挿通孔（９）を開口し、このグロープラグ挿通孔（９）にグロープラグ（３）を挿通し、このグロープラグ（３）をシリンダヘッド（１）にネジ嵌合で固定し、グロープラグ挿通孔（９）とグロープラグ（３）との間を環状シール（２２）で封止している。シリンダヘッド（１）のグロープラグ貫通孔（１ａ）の入口周肉壁部の上面（１ｂ）は傾斜させ、ここに潤滑油が溜まらないようにしている。
【００１９】
図１に示すように、環状シール（２２）をグロープラグ（３）に外嵌固定するとともに、この環状シール（２２）をグロープラグ挿通孔（９）に抜き取り自在に内嵌し、グロープラグ（３）のうち、ヘッドカバー（１５）の外に突出する部分に工具係合部（２４）を設けている。グロープラグ（３）の端子もヘッドカバー（１５）外に突出させている。このため、この端子にヘッドカバー（１５）内の結露水やオイルミスト等が付着するおそれがなく、グロープラグ（３）の漏電を抑制することができる。
【００２０】
シリンダヘッド（１）に複数のグロープラグ（３）を取り付け、シリンダヘッド（１）の上部にヘッドカバー（１５）を配置しているが、各グロープラグ（３）をシリンダ中心軸線（７）に対して所定角度（Θ１）だけ同じ方向に傾け、ヘッドカバー（１５）の天井の外壁（１６）にグロープラグ（３）と平行な向きのグロープラグ挿通孔（９）を開口し、このグロープラグ挿通孔（９）の内径を工具係合部（２４）の外径よりも大きくしている。グロープラグ挿通孔（９）の下端開口にヘッドカバー（１５）内に向けて拡開するテーパ状のシール嵌入案内面（２８）を形成している。
【００２１】
燃料噴射ノズル（２）とグロープラグ（３）の取付構造は、次の通りである。
図１に示すように、シリンダ中央部（４）に燃料噴射ノズル（２）の先端を臨ませ、燃料噴射ノズル（２）と吸気ポート（５）との間の吸気ポート壁部分（６）にグロープラグ（３）を貫通させ、このグロープラグ（３）を燃料噴射ノズル（２）に対して所定角度（Θ１）だけ傾けてその先端部をシリンダ中央部（４）に差込んでいる。
【００２２】
吸気ポート（５）の構成は、次の通りである。
図３に示すように、吸気ポート（５）としてスワール吸気ポートを用いている。吸気弁口（１０ａ）（１０ｂ）寄りの図１に示す吸気ポート壁部分（６）の内壁面（８）を、シリンダ（２１）に近づくにつれてシリンダ中心軸線（７）に近づくように傾斜させて、この内壁面（８）をグロープラグ（３）の傾きに沿わせ、この内周壁（８）の対向壁面（８ａ）をシリンダ中心軸線（７）と平行な向きに沿って立ち上げ、これら壁面（８）（８ａ）の間に吸気弁口（１０ａ）（１０ｂ）に向けて幅広となる楔型ポート部分（５ａ）を形成している。
【００２３】
燃料噴射ノズル（２）の取付構造は、次の通りである。
図３に示すように、前記吸気ポート壁部分（６）から膨出させたノズルボス（６ａ）に燃料噴射ノズル（２）を挿通させている。
【００２４】
グロープラグ（３）とヘッドジャケット（４３）との関係は、次の通りである。
図３に示すように、吸気ポート（５）と排気ポート（１１）との間にポート間横断水路（１２）を形成し、このポート間横断水路（１２）にグロープラグ（３）を貫通させた吸気ポート壁部分（６）を臨ませている。また、ポート間横断水路（１２）を通過する冷却水が吸気分配手段（１３）側から排気合流手段（１４）側に向かうようにしている。
【００２５】
グロープラグ（３）とブリーザ室（２０）との関係は、次の通りである。
図４に示すように、シリンダ中心軸線（７）と平行な向きに見て、ヘッドカバー（１５）の天井に設けるブリーザ室（２０）をクランク軸中心軸線（１７）の片側に向けて偏倚させ、図３に示すように、各吸気ポート（５）毎に二個の吸気弁口（１０ａ）（１０ｂ）を設け、この吸気弁口（１０ａ）（１０ｂ）間の吸気ポート壁部分（６）にグロープラグ（３）を貫通させるに当たり、次のようにしている。図５に示すように、シリンダ中心軸線（７）と平行な向きに見て、二個の吸気弁口（１０ａ）（１０ｂ）の各中心点を連結する仮想連結線（１８）を、クランク軸中心軸線（１７）と直交する姿勢から、シリンダ中心軸線（７）を中心として所定角度（Θ２）だけ回転させることにより、グロープラグ（３）をブリーザ室（２０）の偏倚方向とは逆方向にずらしている。
【００２６】
吸気装置の構成は、次の通りである。
図３に示すように、シリンダヘッド（１）の側面（２３）に吸気分配手段（１３）を配置し、この吸気分配手段（１３）をシリンダヘッド（１）の側面（２３）に沿う長手状のケース構造とし、このシリンダヘッド（１）の側面（２３）と対向する吸気分配手段（１３）の側面を全面開口し、その開口縁をシリンダヘッド（１）の側面（２３）に取り付けている。また、シリンダヘッド（１）の側面（２３）に取付縁を設け、この取付縁に吸気分配手段（１３）の開口縁を取り付け、シリンダヘッド（１）の側面（２３）のうち、取付縁で囲まれた部分を取付縁よりもヘッド内側に後退させている。このため、吸気分配手段（１３）の幅寸法を短くしても、吸気通路断面積を十分に確保することができ、シリンダヘッド（１）の側面（２３）からの吸気分配手段（１３）の張り出し寸法を短くすることができる。
【００２７】
また、図３に示すように、隣り合う気筒の各吸気ポート入口間に位置する外向き面（２７）と、各吸気ポート入口の内周面（２６ａ）（２６ａ）との境界部分（２６ｂ）（２６ｂ）にアールをつけている。このため、吸気分配手段（１３）から吸気ポート（５）（５）への吸気導入時に、境界部分（２６ｂ）（２６ｂ）で乱流を生じるおそれがなく、各吸気ポート（５）（５）への吸気がスムーズに行われる。更に、取付縁の研磨加工時にアールの一部が削られてエッジができる不備が起こらず、滑らかなアールの形成が確実に行える。また、取付縁の研磨加工前に予めアールをつけておくことができるため、このアールはシリンダヘッド（１）の鋳造型によって形成することができ、アールの形成が簡単に行える。
【００２８】
シリンダヘッド（１）への部品取付構造は、次の通りである。
図３に示すように、シリンダヘッド（１）に吸気分配手段（１３）と排気合流手段（１４）と冷却水循環用のサーモスタットケース（３１）とを設け、吸気弁口（１０ａ）（１０ｂ）と排気弁口（３２ａ）（３２ｂ）からシリンダヘッド（１）のヘッド幅方向に沿って、吸気ポート（５）と排気ポート（１１）とを相互反対向きに導出し、吸気分配手段（１３）をシリンダヘッド（１）の一方の側面（２３）に取付け、排気合流手段（１４）を他方の側面（３４）に取り付けている。
【００２９】
図３に示すように、シリンダヘッド（１）のヘッド長手方向の一端部で、排気合流手段（１４）を取り付けたシリンダヘッド（１）の側面（３４）にサーモスタットケース（３１）を配置するに当たり、ヘッド長手方向を前後方向、サーモスタットケース（３１）を配置したシリンダヘッド（１）の一端部のある方を前と見て、各気筒の排気弁口（３２ａ）（３２ｂ）をその気筒の吸気弁口（１０ａ）（１０ｂ）よりも後寄りに配置して、排気合流手段（１４）を吸気分配手段（１３）よりも後寄りに配置し、排気合流手段（１４）の前方で、シリンダヘッド（１）の側面（３４）にサーモスタットケース（３１）を取り付けている。
【００３０】
上記構成による利点は、次の通りである。
大きなサーモスタットケース（３１）をシリンダヘッド（１）の側面（３４）に配置することができるため、エンジンの全長を短くすることができる。また、排気合流手段（１４）を後寄りに配置して、その前方でシリンダヘッド（１）の側面（３４）に形成される大きな取付面に大きなサーモスタットケース（３１）を取付けることができるため、シリンダヘッド（１）の側面（３４）を部品取付面として無駄なく利用することができる。
【００３１】
また、図３に示すように、吸気分配手段（１３）の前方で、シリンダヘッド（１）の側面（２３）にＥＧＲ装置（３０）の弁アクチュエータ（３５）を配置している。このようにして、排気合流手段（１４）の前方の広いスペースには大きなサーモスタットケース（３１）を配置し、吸気分配手段（１３）の前方の狭いスペースには小さな弁アクチュエータ（３５）を配置するため、シリンダヘッド（１）への部品の納まりがよく、シリンダヘッド（１）をコンパクトにまとめることができる。
【００３２】
排気ポート（１１）とプッシュロッド（３６）との関係は、次の通りである。
図３に示すように、シリンダ中心軸線（７）と平行な向きに見て、シリンダ中心軸線（７）上でクランク軸中心軸線（１７）と直交する仮想横断線（３７）を想定し、この仮想横断線（３７）の前方にその気筒の吸気弁口（１０ａ）（１０ｂ）を、後方にその気筒の排気弁口（３２ａ）（３２ｂ）をそれぞれ配置し、排気ポート（１１）の導出側に動弁装置のプッシュロッド（３６）（３６）を配置するに当たり、排気ポート（１１）のうち、ヘッド幅方向に沿う導出始端部分（３９）から中間部分（３８）を前方向に偏向させて、ヘッド幅方向に沿う導出終端部分（４０）を仮想横断線（３７）と重なる位置まで前方向に偏倚させ、この導出終端部分（４０）の前後にその気筒の一対のプッシュロッド（３６）（３６）の各々を振り分けて配置している。
【００３３】
上記構成による利点は、次の通りである。
図５に示すように、ロッカアーム（４８）（４８）を仮想横断線（３７）と平行な姿勢、または平行に近い姿勢にすることができ、ロッカアーム（４８）（４８）を短くすることができる。このため、ロッカアーム（４８）（４８）の重量慣性が小さくなり、プッシュロッド（３６）に対するロッカアーム（４８）（４８）の作動追従性が高まるため、動弁作動を正確に行うことができる。また、排気ポート（１１）の導出終端部分（４０）と一対のプッシュロッド（３６）（３６）とを無理なく配置することができ、プッシュロッド（３６）（３６）を避けるために排気ポート（１１）の導出終端部分（４０）を狭める必要がなく、排気ポート（１１）の通路抵抗を小さくすることができる。
【００３４】
排気ポート（１１）の構成は、次の通りである。
図３に示すように、排気ポート（１１）内に一対の排気弁口（３２ａ）（３２ｂ）をヘッド幅方向に沿って配列し、第一排気弁口（３２ａ）を排気ポート（１１）の導出始端部分（３９）で開口するとともに、第二排気弁口（３２ｂ）を排気ポート（１１）の中間部分（３８）で開口するに当たり、排気ポート（１１）のうち、ヘッド幅方向に沿う導出始端部分（３９）から中間部分（３８）を前方向に導出しながら湾曲させ、この中間部分（３８）の湾曲する円弧の中心位置に第二排気弁口（３２ｂ）を開口し、この第二排気弁口（３２ｂ）の後寄りに、第一排気弁口（３２ａ）からの排気の迂回通路（４１）を形成している。このため、第一排気弁口（３２ａ）からの排気が第二排気弁口（３２ｂ）からの排気の流出を妨げることがなく、排気効率が高い。また、第一排気弁口（３２ａ）からの排気が第二排気弁口（３２ｂ）の後寄りの迂回通路（４１）を通過するため、第二排気弁口（３２ｂ）の周縁部分の過熱が抑制される。
【００３５】
排気装置とＥＧＲ装置（３０）との関係は、次の通りである。
図３に示すように、排気ポート（１１）の湾曲させた中間部分（３８）で案内される排気の吹き当たり箇所からＥＧＲガス導出通路（４２）を導出している。給排気の差圧に加え、排気の押し込み力を利用して排気還元を行うことができ、十分な排気還元量を確保することができる。また、ＥＧＲガス導出通路（４２）がヘッドジャケット（４３）内を通過するようにしている。このため、専用のＥＧＲガス放熱器が不要になり、シリンダヘッド（１）の部品配置が楽になる。ＥＧＲガス導出通路（４２）に続くＥＧＲガス供給通路（４４）を、吸気分配手段（１３）の肉壁内に形成している。このため、シリンダヘッド（１）からＥＧＲガス供給通路（４４）が大きく張り出すことがなく、シリンダヘッド（１）の部品配置が楽になる。
【００３６】
ＥＧＲ装置（３０）の弁アクチュエータ（３５）の取付構造は、次の通りである。図３に示すように、吸気分配手段（１３）から前方にフランジ部（４５）を導出し、このフランジ部（４５）にＥＧＲ装置（３０）の弁アクチュエータ（３５）を取り付けている。弁アクチュエータ（３５）をシリンダヘッド（１）に直接取り付けた場合に比べ、弁アクチュエータ（３５）の熱劣化が抑制される。また、前記弁アクチュエータ（３５）で駆動するＥＧＲ弁（４６）の弁座（４７）を吸気分配手段（１３）を取り付けたシリンダヘッド（１）の側面（２３）に形成している。このため、弁座（４７）のメンテナンスを簡単に行うことができる。
【図面の簡単な説明】
【図１】本発明の実施形態に係るエンジンのシリンダヘッドの前端部分周辺の縦断側面図である。
【図２】ヘッドカバーの取付作業の説明図である。
【図３】図１のエンジンのシリンダヘッドの前端部分の横断平面図である。
【図４】図１のエンジンのヘッドカバーを説明する図で、図４（Ａ）は平面図、図４（Ｂ）は側面図である。
【図５】図１のエンジンのヘッドカバーを取り外した平面図である。
【符号の説明】
（１）…シリンダヘッド、（２）…燃料噴射ノズル、（３）…グロープラグ、（４）…シリンダ中央部、（５）…吸気ポート、（５ａ）…楔型ポート部分、（６）…吸気ポート壁部分、（Θ１）…所定角度、（Θ２）…所定角度、（７）…シリンダ中心軸線、（８）…内壁面、（９）…グロープラグ挿通孔、（８ａ）…対向壁面、（１０ａ）（１０ｂ）…吸気弁口、（１１）…排気ポート、（１２）…ポート間横断水路、（１３）…吸気分配手段、（１４）…排気合流手段、（１５）…ヘッドカバー、（１６）…外壁、（１７）…クランク軸中心軸線、（１８）…仮想連結線、（１９）…所定角度、（２０）…ブリーザ室、（２２）…環状シール、（２４）…工具係合部、（２８）…シール嵌入案内面。
【図１】
2004108308.tif 000003
【図２】
2004108308.tif 000004
【図３】
2004108308.tif 000005
【図４】
2004108308.tif 000006
【図５】
2004108308.tif 000007